(57)【要約】【課題】明瞭な立体的編模様（編柄）を有する経編地及びその製造方法を提供する。【解決手段】本発明の経編地は、鎖編糸(GB1,GB6)と経挿入糸(GB2,GB5)とジャカード糸(GB3,GB4)を含む経編地であって、鎖編糸(GB1,GB6)は鎖編による地組織を編成し、ジャカード糸(GB3,GB4)はジャカード組織を編成し、経挿入糸(GB2,GB5)の大部分は生地に編み込まれず表面に現れ、部分的に編地の中に編み込まれ表面には見えない部分を有し、表面に現れた経挿入糸は模様を編成している。この経編地は、ジャカード筬を含む少なくとも６枚の筬を使用し、筬番号１と６に鎖編糸を配置して鎖編による地編組織を編成し、筬番号２と５に経挿入糸を配置して模様を編成し、筬番号３と４にジャカード筬を通したジャカード糸を配置してジャカード組織を編成する。【選択図】図２
2014234577.tif 000002
【特許請求の範囲】
【請求項１】
鎖編糸と経挿入糸とジャカード糸を含む経編地であって、
前記鎖編糸は鎖編による地組織を編成し、前記ジャカード糸はジャカード組織を編成し、
前記経挿入糸の大部分は生地に編み込まれず表面に現れ、部分的に編地の中に編み込まれ表面には見えない部分を有し、前記表面に現れた経挿入糸は模様を編成していることを特徴とする経編地。
【請求項２】
前記鎖編糸、経挿入糸及びジャカード糸は各糸が２コース、合計６コースで一つのリピートになっており、前記経挿入糸及びジャカード糸の４コースが編み込まれず、前記鎖編糸の２コースが鎖編からなる編目を編成している請求項１に記載の経編地。
【請求項３】
前記鎖編は糸番号１と６に配置して鎖編による地編組織を編成し、経挿入糸は糸番号２と５に配置して模様を編成し、ジャカード糸は糸番号３と４に配置してジャカード組織を編成している請求項１又は２に記載の経編地。
【請求項４】
前記鎖編糸はフィラメント加工糸、経挿入糸は前記鎖編糸及びジャカード糸と異なる色の糸であり、
前記ジャカード糸は芯の弾性フィラメント糸に鞘として合成繊維フィラメント糸を巻き付けた  カバーリングヤーンである請求項１〜３のいずれかに記載の経編地。
【請求項５】
ジャカード筬を含む少なくとも６枚の筬を使用して編成された鎖編糸と経挿入糸とジャカード糸を含む経編地の製造方法であって、
筬番号１と６に鎖編糸を配置して鎖編による地編組織を編成し、筬番号２と５に経挿入糸を配置して模様を編成し、筬番号３と４にジャカード筬を通したジャカード糸を配置してジャカード組織を編成することにより、
前記経挿入糸の大部分は生地に編み込まれず表面に現れ、部分的に編地の中に編み込まれ表面には見えない部分を有し、前記表面に現れた経挿入糸は模様を編成していることを特徴とする経編地の製造方法。
【請求項６】
前記経編地は筒編であり、経挿入糸による模様は内側に編成される請求項５に記載の経編地の製造方法。
【発明の詳細な説明】
【技術分野】
【０００１】
本発明は、編模様（編柄）を有する経編地及びその製造方法に関する。
【背景技術】
【０００２】
経編地はスポーツ用シャツ、女性のインナー衣類等に使用されている。編模様（編柄）を有する経編地も知られており、特許文献１にはダブルラッシェル機により製造され、連結糸の編目編成によるループからなる凸部分と、挿入による凹部分の組み合わせによって柄が編成された立体成形物とその編成方法について開示されている。特許文献２には、ジャカード糸のループにより素地組織の編目を係合して編成した編組構造を有するラッセル編地が開示され、挿入糸を付加することによって形態が安定することが記載されている。
【０００３】
特許文献３には、地筬３枚を用いたラッシェル編機により編成される編物であって、経挿入糸を地糸で挟んで安定させ、地糸の編み方によって経挿入糸の露出面積を調整できることが開示されている。特許文献４には、ジャカード筬を含む少なくとも３枚の筬を使用して編成するジャカード組織を有する経編地において、ジャカード筬以外の筬により編成される鎖組織および挿入組織と、ジャカード筬により横振り幅を変化させた組織を組み合わせて編成されるジャカード組織であり、挿入組織をなす挿入糸が他の編糸とは異色の糸にして、柄や製品パターンに応じて設定したジャカード組織による開口部において他の編糸とは異色の挿入糸を視認可能に露出させることが提案されている。
【先行技術文献】
【特許文献】
【０００４】
【特許文献１】特開２００１−１２３３６１号公報
【特許文献２】特開２００２−２３５２６５号公報
【特許文献３】特開２００５−２９８９９２号公報
【特許文献４】特開２０１１−０６９０１４号公報
【発明の概要】
【発明が解決しようとする課題】
【０００５】
前記特許文献１〜４で提案されている編物は、編模様（編柄）が明瞭でないという問題があった。とくにスポーツ用シャツ、女性のインナー衣類等にはさらに改良された編模様（編柄）が求められている。
【０００６】
本発明は、前記従来の問題を解決するため、明瞭な立体的編模様（編柄）を有する経編地及びその製造方法を提供する。
【課題を解決するための手段】
【０００７】
本発明の経編地は、鎖編糸と経挿入糸とジャカード糸を含む経編地であって、前記鎖編糸は鎖編による地組織を編成し、前記ジャカード糸はジャカード組織を編成し、前記経挿入糸の大部分は生地に編み込まれず表面に現れ、部分的に編地の中に編み込まれ表面には見えない部分を有し、前記表面に現れた経挿入糸は模様を編成していることを特徴とする。
【０００８】
本発明の経編地の製造方法は、ジャカード筬を含む少なくとも６枚の筬を使用して編成された鎖編糸と経挿入糸とジャカード糸を含む経編地の製造方法であって、筬番号１と６に鎖編糸を配置して鎖編による地編組織を編成し、筬番号２と５に経挿入糸を配置して模様を編成し、筬番号３と４にジャカード筬を通したジャカード糸を配置してジャカード組織を編成することにより、前記経挿入糸の大部分は生地に編み込まれず表面に現れ、部分的に編地の中に編み込まれ表面には見えない部分を有し、前記表面に現れた経挿入糸は模様を編成していることを特徴とする。
【発明の効果】
【０００９】
本発明は、経挿入糸の大部分は生地に編み込まれず表面に現れ、部分的に編地の中に編み込まれ表面には見えない部分を有し、前記表面に現れた経挿入糸は模様を編成していることにより、明瞭な立体的編模様（編柄）を有する経編地を提供できる。また本発明の製造方法は、前記経編地を効率よく合理的に生産できる。
【図面の簡単な説明】
【００１０】
【図１】図１は本発明の一実施例の経編地の製造に使用するダブルラッセル編機の要部を示す模式的側面図である。
【図２】図２は本発明の一実施例の経編地の組織図である。
【図３】図３は同、別の実施例の経編地の組織図である。
【図４】図４は同、さらに別の実施例の経編地の組織図である。
【図５】図５は同、さらに別の実施例の経編地の組織図である。
【図６】図６は本発明の一実施例の経編地の模式的説明図である。
【図７】図７は同、別の実施例の経編地の模式的説明図である。
【図８】図８Ａは本発明の一実施例で得られた経編地を使用した婦人用タンクトップの正面図、図８Ｂは同背面図である。
【発明を実施するための形態】
【００１１】
本発明は、鎖編糸と経挿入糸とジャカード糸を含む経編地である。経編地にはラッシェル、トリコットなどがあり、ジャカード機で筬枚数を備えてあればどちらでも適用できる。本発明においてはラッシェル経編地に適用した例を説明する。
【００１２】
鎖編糸は鎖編による地組織を編成し、ジャカード糸はジャカード組織を編成する。鎖編を入れているのは生地としての品質を保つためである。このような編物組織において、経挿入糸の大部分は生地に編み込まれず表面に現れ、部分的に編地の中に編み込まれ表面には見えない部分を有し、表面に現れた経挿入糸は模様を編成している。ここで経挿入糸の大部分とは９０％以上をいい、部分的とは１０％未満をいう。すなわち、経挿入糸のほとんどは表面に現れて編模様（編柄）に寄与する。
【００１３】
一例として、鎖編糸、経挿入糸及びジャカード糸は、各糸が２コース、合計６コースで一つのリピートになっており、経挿入糸及びジャカード糸の４コースが編み込まれず、鎖編糸の２コースが鎖編みからなる編目を編成している。リピートとは編み組織の最小単位のことである。この編組織が繰り返されて広い編み物生地が編成される。前記６コースで一つのリピートであると、４コースが編み込まれず２コースが編目を編成（鎖編み）しているので約６８％が編み地表面に現れる。別の例としては８コースで１コース鎖編みも可能である。さらに別の例として、６コースのリピートで１コース編み目、３コースで１コース編み目なども可能である。リピートのコースも２〜１２くらいまでは十分に可能であり、場合によりそれ以上も可能である。鎖編、編目の編成も１以上であればいくつでも組み合わせられる。また、編み目を作らないようにすることも可能である。
【００１４】
前記鎖編は糸番号１と６に配置して鎖編による地編組織を編成し、経挿入糸は糸番号２と５に配置して模様を編成し、ジャカード糸は糸番号３と４に配置してジャカード組織編成するのが好ましい。編模様（編柄）を編成する部分の経挿入糸は、鎖編糸及びジャカード糸と異なる色の糸(異色糸)を使用する。異色糸を使用することにより、模様をより鮮明にできる。異色糸は、例えば原着糸、編み物編成以前に染色された糸（綿染め糸、糸染め糸等）、後染めによる染め分け（酸性染料、分散染料、カチオン染料の使い分け）によって実現できる。
【００１５】
ジャカード糸は芯の弾性フィラメント糸に鞘として合成繊維フィラメント糸を巻き付けた  カバーリングヤーン  コアヤーンを使用するのが好ましい。これによりストレッチ性(伸縮性)を付与できる。
【００１６】
本発明方法は、ジャカード筬を含む少なくとも６枚の筬を使用して編成された鎖編糸と経挿入糸とジャカード糸を含む経編地とする。筬番号１と６に鎖編糸を配置して鎖編による地編組織を編成し、筬番号２と５に経挿入糸を配置して模様を編成し、筬番号３と４にジャカード筬を通したジャカード糸を配置してジャカード組織を編成する。これにより、経挿入糸の大部分は生地に編み込まれず表面に現れ、部分的に編地の中に編み込まれ表面には見えない部分を有し、表面に現れた経挿入糸は模様を編成した経編地とする。ダブルラッセルの場合は内側に模様が出るので筒編みであることが必要になり、経挿入糸による模様を内側に編成する。ダブルでないラッセルの場合、模様は表側に編成する。
【００１７】
以下図面を用いて説明する。以下の図面において、同一符号は同一物を意味する。図１は本発明の一実施例における経編地の製造に使用するダブルラッセル編機の要部を示す模式的側面図である。この編機は、前後２列のニードル列を有し、かつジャカード装置により横振り運動が制御されるジャカード筬を備えるダブルラッセル機である。Ｆは前側ニードル列、Ｂは後ろ側ニードル列であり、前記ニードル列Ｆ，Ｂに対し筬Ｌ１〜Ｌ６が編機の前部側から後部側に向かって配列されている。このうちＬ１、Ｌ２、Ｌ５、Ｌ６は地組織における鎖組織又は挿入組織を編成する地筬、Ｌ３とＬ４はジャカード筬を示している。鎖編糸１，６はそれぞれ筬Ｌ１，Ｌ６を通して鎖編による地編組織を編成する。経挿入糸２，５は筬Ｌ２，Ｌ５を通して模様を編成する。ジャカード糸３，４はジャカード筬Ｌ３，Ｌ４を通してジャカード組織を編成する。筬Ｌ１〜Ｌ３により前側のニードル列Ｆで経編地７を編成し、筬Ｌ４〜Ｌ６により、後側のニードル列Ｂで同様の経編地８を編成する。この際、地組織を編成する筬（地筬）Ｌ１、Ｌ２、Ｌ５、Ｌ６のうち、Ｌ２及びＬ５の組織は挿入されないような組織にしておくことでＬ３、Ｌ４の組織を通過し編み地の表に出るようにしている。このようにすることでジャカードの組織変化によって、経挿入糸が逆に隠れる様になる。
【００１８】
図２は本発明の一実施例における経編地の組織図である。筬番号１(GB1)と６(GB6)に鎖編糸を配置して鎖編による地編組織を編成し、筬番号２(GB2)と５(GB5)に経挿入糸を配置して模様を編成し、筬番号３(GB3)と４(GB4)にジャカード筬を通したジャカード糸を配置してジャカード組織を編成する。
【００１９】
図３は別の実施例における経編地の組織図である。図２と異なる点は筬番号２(GB2)と５(GB5)の経挿入糸をところどころループさせている点である。このようにすることで、表面の糸が編立時より抜けなくすることができる。例えば爪でひっかいても抜けにくくできる。但し、柄の表現はやや低下する問題はある。図４はさらに別の実施例における経編地の組織図である。図２と異なるのは筬番号３(GB3)と４(GB4)にジャカード組織に矢印を加えている点である。このようにすることで、筬番号２と５の経挿入糸は生地の表に現われず、ジャガード組織と鎖編みに押さえられる状態となる。すなわち、鎖編みの糸とジャカード編みの糸に挟まれている状態となる。これにより、ジャガード組織の変化で生地が厚くなり、凸状になる。
【００２０】
図５はさらに別の実施例における経編地の組織図である。図２と異なるのは筬番号３(GB3)と４(GB4)にジャカード組織に矢印を加えている点である。このようにすることで、筬番号２と５の経挿入糸は生地の表に現われず、ジャガード組織と鎖編みに押さえられる。また、ジャガード組織の変化で生地に穴をあける状態となる。ラッセル編地の場合、通常ジャカード組織を薄地から厚地へ、又は穴地へと変化させることができる。
【００２１】
図６は本発明の一実施例における経編地の模式的説明図であり、実際の糸と生地の状態を表している。図７は同、別の実施例における経編地の模式的説明図であり、糸の動きを表す組織図である。
【００２２】
上記においては、編模様（編柄）の形成について説明したが、編模様（編柄）以外にもパイル（立毛）形成もできる。これは、編み込まれずに生地の表面に現れた挿入糸がパイルの形状になることにより実現できる。部分的にパイルを出すことができるので、例えば腹部の部分だけにパイルを出すと、腹部の暖かい経編生地を作成できる。
【実施例】
【００２３】
以下、実施例を用いてさらに具体的に説明する。なお、本発明は下記の実施例に限定されるものではない。
【００２４】
（実施例１）
（１）使用糸
(a)鎖編み糸は繊度５６dtex(デシテックス)、フィラメント数４０本のウーリーナイロンフィラメント糸を使用した。
(b)経挿入糸は繊度５６dtex、フィラメント数３０本のポリプロピレンフィラメント糸からなる黒原着糸を使用した。
(c)ジャガード（デンビ組織）の弾性糸はカバーリング糸であり、ポリウレタン２２dtexにウーリーナイロン５６dtexを巻きつけた糸を使用した。
（２）編み機及び編み組織
ジャカード付きダブルラッシェル機を使用し、図２の編み組織にしたがって編成した。
（３）編成された編み物
編成された編み物の目付は６６０g/m2であり、ツーウェイの伸縮性があった。コース数は７８  個／インチ、ウェル数は５６個／インチであった。縦方向の伸縮性は２００％、横方向の伸縮性は  ２９０％であった。前記伸縮性は２０ｃｍ幅の編物を４ｋｇの力で伸ばした時の伸び寸法である。
【００２５】
この編み物を婦人用タンクトップに縫製した。図８Ａは本発明の一実施例で得られた経編地を使用した婦人用タンクトップの正面図、図８Ｂは同背面図である。この婦人用タンクトップは、地組織がグレーで、胸部の位置にブーケ模様の花の明瞭な立体的編模様（編柄）を有し、胴部はボーダー模様、背中部には花柄模様を有していた。その他の部分にはドット状水玉模様を散りばめていた。伸縮性も良好で着心地も良かった。
【産業上の利用可能性】
【００２６】
本発明の経編地はタンクトップ以外にも、レオタード、コスチューム、スポーツ用衣類、ホームウエア、インナーウェア、レッグウェアなど様々に衣類に適用できる。
【符号の説明】
【００２７】
１，６  鎖編糸
２，５  経挿入糸
３，４  ジャカード糸
７，８  経編地
Ｌ１，Ｌ２，Ｌ５，Ｌ６  地筬
Ｌ３，Ｌ４  ジャカード筬
Ｆ  前側ニードル列
Ｂ  後ろ側ニードル列
【図１】
2014234577.tif 000003
【図２】
2014234577.tif 000004
【図３】
2014234577.tif 000005
【図４】
2014234577.tif 000006
【図５】
2014234577.tif 000007
【図６】
2014234577.tif 000008
【図７】
2014234577.tif 000009
【図８】
2014234577.tif 000010